(57)【要約】【課題】  エプロン本体の汚れを問題とすることなく、かつエプロン本体をコンパクトに携行することができるエプロン装置を提供する。【解決手段】  エプロン装置１０はエプロン本体１１と、エプロン本体１１に設けられた留具装置２１とを備えている。留具装置２１はカバー領域１２の周縁に設けられた締結手段２２からなっている。エプロン本体１１のうちカバー領域１２以外の部分１３はカバー領域１２内に収納される。カバー領域１２は締結手段２２により閉鎖自在となっている。【選択図】  図１
2005068580.tif 000002
【特許請求の範囲】
【請求項１】
エプロン本体と、
エプロン本体に設けられた留具装置とを備え、
留具装置はエプロン本体のカバー領域の周縁に設けられた締結手段からなり、
エプロン本体のうちカバー領域以外の部分をカバー領域内に収納して締結手段により閉鎖自在としたエプロン装置。
【請求項２】
カバー領域はエプロン本体の裏面に位置することを特徴とする請求項１記載のエプロン装置。
【請求項３】
締結手段は、第１ファスナと、第１ファスナに係合する第２ファスナとを有することを特徴とする請求項１記載のエプロン装置。
【請求項４】
カバー領域にカバーシートを設け、
締結手段はカバーシート周縁に設けられたことを特徴とする請求項１記載のエプロン装置。
【請求項５】
カバーシートは防水性を有する材料からなることを特徴とする請求項１記載のエプロン装置。
【請求項６】
シート本体と、
シート本体に設けられた留具装置とを備え、
留具装置はシート本体のカバー領域の周縁に設けられた締結手段からなり、
シート本体のうちカバー領域以外の部分をカバー領域内に収納して締結手段により閉鎖自在としたシート装置。
【発明の詳細な説明】
【技術分野】
【０００１】
本発明はエプロン本体と、エプロン本体に設けられた留具装置とを備えたエプロン装置、およびシート本体と、シート本体に設けられた留具装置とを備えたシート装置に関する。
【背景技術】
【０００２】
エプロンは家庭内で使用されるだけでなく、家から持ち出して使用することもある。特に、乳幼児や高齢者が使用するエプロンは日常的に使用されるものであり、乳幼児や高齢者が外出するのに伴いエプロンを携行することが多い。
【０００３】
しかしながら、エプロンは使用中に汚れたり濡れたりすることが多く、そのため、使用後のエプロンを直接鞄等に収納し持ち運ぶと、鞄や鞄の中に入ってる他のものを汚してしまう場合がある。そのため、一般的にエプロンはビニール袋等に収納して持ち運ばれている。
【０００４】
また、このことは幼児のおむつ替え用のシート等にも当てはまる。
【発明の開示】
【発明が解決しようとする課題】
【０００５】
しかしながら、エプロン等をビニール袋に入れて持ち運びすると、鞄等の中でかさばり、また常にビニール袋を用意するのは煩雑である。
【０００６】
また、エプロンにエプロン収納用のポケットを設けることも考えられるが、この場合、食物がポケット内に溜まってしまう上に、ポケットの内側を洗うのは困難であり、ポケットに溜まった食物を完全に取り除くことができないので衛生上の問題が生ずる。さらに、ポケットの形状が略四角形に限定され、収納時におけるエプロンのデザイン性に欠ける。
【０００７】
本発明はこのような点を考慮してなされたものであり、エプロン本体またはシート本体の汚れを問題とすることなく、かつエプロン本体またはシート本体をコンパクトに携行することができるエプロン装置およびシート装置を提供することを目的とする。
【課題を解決するための手段】
【０００８】
本発明は、エプロン本体と、エプロン本体に設けられた留具装置とを備え、留具装置はエプロン本体のカバー領域の周縁に設けられた締結手段からなり、エプロン本体のうちカバー領域以外の部分をカバー領域内に収納して締結手段により閉鎖自在としたエプロン装置である。
【０００９】
本発明は、カバー領域はエプロン本体の裏面に位置することを特徴とするエプロン装置である。
【００１０】
本発明は、締結手段は、第１ファスナと、第１ファスナに係合する第２ファスナとを有することを特徴とするエプロン装置である。
【００１１】
本発明は、カバー領域にカバーシートを設け、締結手段はカバーシート周縁に設けられたことを特徴とするエプロン装置である。
【００１２】
本発明は、カバーシートは防水性を有する材料からなることを特徴とするエプロン装置である。
【００１３】
本発明は、シート本体と、シート本体に設けられた留具装置とを備え、留具装置はシート本体のカバー領域の周縁に設けられた締結手段からなり、シート本体のうちカバー領域以外の部分をカバー領域内に収納して締結手段により閉鎖自在としたシート装置である。
【発明の効果】
【００１４】
本発明によれば、使用によって汚れたエプロン本体のうちカバー領域以外の部分をエプロン本体のカバー領域内にコンパクトに収納し、カバー領域をカバー領域周縁に取り付けられた締結手段によって閉鎖する。このため、エプロン本体の汚れを問題とすることなくエプロン装置をコンパクトに持ち運ぶことができる。
【発明を実施するための最良の形態】
【００１５】
以下、図面を参照して本発明の実施の形態について説明する。
【００１６】
図１乃至図３は本発明によるエプロン装置（シート装置）１０の実施の形態を示す図である。
【００１７】
このうち図１はエプロン装置１０の裏面図であり、図２はエプロン本体１１を収納した状態のエプロン装置１０を示す斜視図であり、図３はエプロン本体１１の収納方法を示す斜視図である。
【００１８】
図１に示すようにエプロン装置１０はエプロン本体１１と、エプロン本体１１の裏面に設けられた留具装置２１とを備えている。なお、本実施の形態において、エプロン本体１１は幼児用のエプロンであり、首出し部１１ａと、一対の腕出し部１１ｂと、留め紐１１ｃとを有している。幼児は首出し部１１ａから首を出し、腕出し部１１ｂから腕を出し、留め紐１１ｃを背中側で結んでエプロン本体１１を身につける。このような、エプロン本体１１の材料は特に限定されず、例えば布やビニールからなる。
【００１９】
また、エプロン本体１１は略長方形からなるカバー領域１２をエプロン本体１１裏面の略中央部に有する。カバー領域１２には、カバー領域１２を覆う略長方形のカバーシート１４が取り付けられている。取り付け方法は縫い付け、貼り付け、その他カバーシート１４がカバー領域１２にしっかりと取り付けられる範囲で特に限定されない。このカバーシート１４の材料は特に限定されず、布でもビニールでもよい。
【００２０】
留具装置２１はエプロン本体１１のカバー領域１２の周縁に設けられた締結手段２２からなり、この締結手段２２によりエプロン本体１１をカバー領域１２と、それ以外の部分１３とに区画している。本実施の形態においては、締結手段２２はカバー領域１２を覆うカバーシート１４の周縁に取り付けられた第１ファスナ２３と第２ファスナ２４からなっている。図１に示すように、第１ファスナ２３はカバーシート１４の図１における左半分の周縁に取り付けられており、第２ファスナ２４はカバーシート１４の図１における右半分の周縁に取り付けられている。この第１ファスナ２３と第２ファスナ２４は互い係合して締結される。すなわち、カバーシート１４上にエプロン本体１１のうちカバー領域１２以外の部分１３を折り畳んだ後、さらにカバーシート１４を図１において横半分に折り畳んで、折り畳まれたエプロン本体１１の部分１３をカバーシート１４内側に収納する。その後、対向して配置された第１ファスナ２３と第２ファスナ２４とを係合させて締結することにより、カバーシート１４内にエプロン本体１１を収納した状態で、カバーシート１４を閉鎖することができる。
【００２１】
次にこのような構成からなる本実施の形態の作用を説明する。
【００２２】
まず、エプロン装置１０をエプロンとして使用する場合を説明する。使用者は首出し部１１ａから首を出し、腕出し部１１ｂから腕を出し、留め紐１１ｃを背中側で結んでエプロン本体１１を身につける。エプロン装置１０は、周囲に第１ファスナ２３と第２ファスナ２４が設けられたカバーシート１４をエプロン本体１１のカバー領域１２に取り付けたものであり、本実施の形態においては、カバー領域１２はエプロン本体１１の裏面に配置されている。したがって、エプロン装置１０をエプロンとして使用する場合、第１ファスナ２３と第２ファスナ２４とからなる締結手段２２がエプロン機能を害することはなく、通常のエプロンと全く同様に使用することができる。
【００２３】
また、エプロン装置１０をエプロンとして使用した場合、使用によって主に汚れるのはエプロン本体１１の表面側だけであり、その上、カバーシート１４は半分に折り畳まれてエプロン本体１１を収納するものであって、ポケット状にはなってない。したがって、カバーシート１４や締結手段２２に汚れが溜まることはなく、通常のエプロンと同様の洗濯で汚れを充分落とすことができる。
【００２４】
次に、図１乃至図３を参照してエプロン本体１１のカバーシート１４への収納方法について説明する。まず、エプロン本体１１のカバー領域１２に取り付けたカバーシート１４が裏側に配置されるよう、エプロン本体１１の表面を上に向けてエプロン装置１０をテーブル等の上に載置する。
【００２５】
次に、エプロン本体１１のうちカバー領域１２以外の部分１３をカバーシート１４上に折り畳む。このときまず、カバーシート１４を中心とし、エプロン本体１１の部分１３を表面が内側となるようにエプロン本体１１を左右から折り畳んで図３（ａ）の状態にする。次に、エプロン本体１１の部分１３を上下から折り畳んで図３（ｂ）の状態にする。
【００２６】
そして、図３（ｃ）に示すように、カバーシート１４の中心を軸とし、カバーシート１４が外面となるようにエプロン装置１０を横半分に折り畳む。この場合、第１ファスナ２３と第２ファスナ２４が対向する位置に配置される。次に、第１ファスナ２３と第２ファスナ２４とを係合させて締結する。このようにして、エプロン装置１０のカバー領域１２を覆うカバーシート１４を締結手段２２を用いて閉鎖することができる。この場合、カバーシート１４内にエプロン本体１１の部分１３が収納され、エプロン装置１０をコンパクトに持ち運ぶことができる。
【００２７】
このとき、エプロン装置１０を通常のエプロンとして使用した場合に裏面に位置するカバーシート１４および締結手段２２が外方に露出することになる。したがって、エプロン装置１０の持ち運び時に、エプロン装置１０をそのまま鞄等に収納しても鞄内の他の物を汚すことはない。また、エプロン装置１０を通常のエプロンとして使用した場合に外方に露出するエプロン本体１１の表面は、収納時において内側に向けて折り畳まれる。このため、エプロン本体１１の収納時に、エプロン本体１１の表面に付着した汚れがカバーシート１４表面に染み出ることはない。また、カバーシート１４の材料として防水性を備えたビニール等を用いることにより、エプロン本体１１が濡れていてもエプロン本体１１の収納時にエプロン装置１０の外面に水分が露出することはない。
【００２８】
さらに、カバーシート１４はエプロン本体１１の裏面のカバー領域１２に、エプロン本体１１とは別体として設けられているので、エプロン本体１１のデザイン性を損なうことなく、カバーシート１４のデザインを自由に決めることができる。そのため、エプロン本体１１をカバーシート１４内に収納した状態のデザイン性を豊かにすることができる。
【００２９】
以上のように本実施の形態によれば、使用によって汚れたエプロン本体１１のうちカバー領域１２以外の部分１３をエプロン本体１１に設けられたカバーシート１４内に収納し、カバーシート１４をカバーシート１４周縁に取り付けられた締結手段２２によって閉鎖することができる。このため、エプロン本体１１の汚れを問題とすることなくエプロン装置１０をコンパクトに持ち運ぶことができる。
【００３０】
なお、本実施の形態においてカバーシート１４の形状を略長方形とした例を示したが、これに限らず円形、星型またはハート型等にしてもよい。
【００３１】
また、本実施の形態において留具装置２１を第１ファスナ２３と第２ファスナ２４とを有する締結手段２２から構成した例を示したが、これに限らずボタンやマジックテープを有する締結手段２２から構成してもよい。
【００３２】
さらに、本実施の形態においてエプロンは幼児用のエプロンであり、腕を通して着る形式とした例を示したが、これに限らずエプロンは高齢者用や調理用のものでもよく、また、首を通して着る形式や、腰に紐を留めて身につける形式でもよい。
【００３３】
さらにまた、本実施の形態においてエプロン本体１１のカバー領域１２にカバーシート１４を取り付け、そのカバーシート１４の周縁に締結手段２２を取り付けた例を示したが、これに限らず、カバーシート１４を設けずカバー領域１２に直接締結手段２２を取り付けてもよい。このようにした場合、エプロン本体１１のうちカバー領域１２以外の部分１３はエプロン本体１１の一部分であるカバー領域１２によって収納される。また、本実施の形態においてカバー領域をエプロン本体の裏面略中央部に配置した例を示したが、これに限定されず、エプロン本体表面、エプロン本体下部やエプロン本体上部等に配置してもよい。
【００３４】
上述のように、シート装置としてエプロン装置について記載したが、シート装置としてはこれに限らず、シート本体をその他、マット、毛布、ブランケット、敷物等とすることが考えられる。
【図面の簡単な説明】
【００３５】
【図１】本発明によるエプロン装置の一実施の形態を示す裏面図。
【図２】エプロン本体の収納状態を示すエプロン装置の斜視図。
【図３ａ】エプロン本体の収納方法を示す斜視図。
【図３ｂ】エプロン本体の収納方法を示す斜視図。
【図３ｃ】エプロン本体の収納方法を示す斜視図。
【符号の説明】
【００３６】
１０  エプロン装置
１１  エプロン本体
１１ａ  首出し部
１１ｂ  腕出し部
１１ｃ  留め紐
１２  カバー領域
１３  カバー領域以外の部分
１４  カバーシート
２１  留具装置
２２  締結手段
２３  第１ファスナ
２４  第２ファスナ
【図１】
2005068580.tif 000003
【図２】
2005068580.tif 000004
【図３ａ】
2005068580.tif 000005
【図３ｂ】
2005068580.tif 000006
【図３ｃ】
2005068580.tif 000007